(57)【要約】【課題】注入器を収納袋に収納した状態での不具合の発生を抑制することのできる注入器の収納構造を提供すること。【解決手段】子宮体内に受精卵等を注入するための注入器１を収納した収納袋１０には、フランジ部７とコネクタ部６との間で収納袋１０の第１シート部１１と第２シート部１２とが結合されたストッパ部１５（第１ストッパ部１６および第２ストッパ部１７）が設けられている。ストッパ部１５は、フランジ部７の基端側への移動、およびコネクタ部６の先端側への移動を制限するため、フランジ部７およびコネクタ部６が互いに接近する方向に移動しにくい。従って、注入管３の先端側がガイド管２から突出しにくいので、ノズル体４がガイド管２の先端部２１に当接した状態を維持でき、注入管３の先端側をガイド管２によって保護することができる。【選択図】図５
2020089652.tif 000002
【特許請求の範囲】
【請求項１】
子宮体内に受精卵や人工授精用の精子を注入する注入器を収納袋に収納した注入器の収納構造であって、
前記注入器は、基端側にフランジ部を備えた子宮体内挿入用のガイド管と、前記ガイド管内に通され、前記ガイド管より寸法が長い注入管と、前記注入管の先端部に連結され、前記ガイド管の内径より大きな外径を有するノズル体と、前記注入管の基端部に連結され、前記ガイド管の内径より大きな外径を有するコネクタ部と、を有し、
前記収納袋は、前記注入器と重なる第１シート部と、前記注入器を囲むように前記第１シート部と結合されて前記第１シート部との間に前記注入器を収納する第２シート部と、前記フランジ部と前記コネクタ部との間で前記第１シート部と前記第２シート部とが結合されて前記フランジ部の基端側への移動、および前記コネクタ部の先端側への移動を制限するストッパ部と、を有することを特徴とする注入器の収納構造。
【請求項２】
請求項１に記載の注入器の収納構造において、
前記注入器は、前記ノズル体が前記ガイド管の先端部に当接した状態で前記収納袋に収納されていることを特徴とする注入器の収納構造。
【請求項３】
請求項１または２に記載の注入器の収納構造において、
前記ストッパ部は、前記フランジ部より基端側で前記第１シート部と前記第２シート部とが結合されて前記フランジ部の基端側への移動を制限する第１ストッパ部と、前記コネクタ部より先端側で前記第１シート部と前記第２シート部とが結合されて前記コネクタ部の先端側への移動を制限する第２ストッパ部と、を含むことを特徴とする注入器の収納構造。
【請求項４】
請求項１から３までの何れか一項に記載の注入器の収納構造において、
少なくとも、前記第１シート部の前記第２シート部側の面、および前記第２シート部の前記第１シート部側の面は各々、プラスチックからなり、
前記ストッパ部では、前記第１シート部と前記第２シート部とがヒートシールにより結合していることを特徴とする注入器の収納構造。
【請求項５】
請求項４に記載の注入器の収納構造において、
前記第１シート部と前記第２シート部と端部は、前記注入器を囲むようにヒートシールにより結合していることを特徴とする注入器の収納構造。
【請求項６】
請求項１から５までの何れか一項に記載の注入器の収納構造において、
前記注入管は、前記注入管の先端側を構成する可撓性の第１管部と、前記第１管部より剛性が大で、前記注入管の基端側を構成する第２管部とを備えていることを特徴とする注入器の収納構造。
【発明の詳細な説明】
【技術分野】
【０００１】
本発明は、牛等の動物に受精卵や人工授精用の精子を注入する注入器を収納袋に収納する際の収納構造に関するものである。
【背景技術】
【０００２】
牛等の動物の子宮内に受精卵や人工授精用の精子を注入する注入器としては、基端側にフランジ部を備えた子宮体内挿入用のガイド管に、ガイド管より長い注入管を通した構造が提案されている。ここで、ガイド管の先端部には、ガイド管の内径より大きな外径を有するノズル体が連結され、注入管の基端部には、ガイド管の内径より大きな外径を有するコネクタ部が連結される。従って、牛等の膣口から子宮体内にガイド管を差し込んだ後、注入管の先端部をガイド管の先端から押し出し、ノズル体を子宮角の深部まで到達させた状態で注入管の基端側から受精卵や精子を供給すれば、受精卵や精子をノズル体から注入することができる（特許文献１参照）。
【先行技術文献】
【特許文献】
【０００３】
【特許文献１】特開２０１７−１７６４６２号公報
【発明の概要】
【発明が解決しようとする課題】
【０００４】
特許文献１に記載の注入器を製造した後、出荷する際には、ガイド管の先端部にノズル体が当接するまで注入管を引き込んだ状態で注入器を袋に収納する。しかしながら、搬送途中等において、注入管に力が加わって、注入管の先端側がガイド管から突出すると、注入管の先端側が変形し、注入器が使用不可能になるという課題がある。
【０００５】
以上の問題点に鑑みて、本発明の課題は、注入器を収納袋に収納した状態での不具合の発生を抑制することのできる注入器の収納構造を提供することにある。
【課題を解決するための手段】
【０００６】
上記課題を解決するために、本発明は、子宮体内に受精卵や人工授精用の精子を注入する注入器を収納袋に収納した注入器の収納構造であって、前記注入器は、基端側にフランジ部を備えた子宮体内挿入用のガイド管と、前記ガイド管内に通され、前記ガイド管より寸法が長い注入管と、前記注入管の先端部に連結され、前記ガイド管の内径より大きな外径を有するノズル体と、前記注入管の基端部に連結され、前記ガイド管の内径より大きな外径を有するコネクタ部と、を有し、前記収納袋は、前記注入器と重なる第１シート部と、前記注入器を囲むように前記第１シート部と結合されて前記第１シート部との間に前記注入器を収納する第２シート部と、前記フランジ部と前記コネクタ部との間で前記第１シート部と前記第２シート部とが結合されて前記フランジ部の基端側への移動、および前記コネクタ部の先端側への移動を制限するストッパ部と、を有することを特徴とする。
【０００７】
本発明に係る注入器の収納構造では、注入器を収納した収納袋には、フランジ部とコネクタ部との間で第１シート部と第２シート部とを結合したストッパ部が設けられており、ストッパ部は、フランジ部の基端側への移動、およびコネクタ部の先端側への移動を制限する。このため、フランジ部およびコネクタ部が互いに接近する方向に移動しにくいので、注入管の先端側がガイド管から突出しにくい。従って、ガイド管から突出した注入管の先端側に外力が加わって、注入管の先端側が折れ曲がって元の形状に戻らなくなるという不具合や、ノズル体が注入管から外れるという不具合が発生しにくい。それ故、注入器を
収納袋に収納した状態での注入器の不具合の発生を抑制することができる。
【０００８】
本発明において、前記注入器は、前記ノズル体が前記ガイド管の先端部に当接した状態で前記収納袋に収納されている態様を採用することができる。かかる状態であれば、注入管の先端側をガイド管によって外力から保護することができる。
【０００９】
本発明において、前記ストッパ部は、前記フランジ部より基端側で前記第１シート部と前記第２シート部とが結合されて前記フランジ部の基端側への移動を制限する第１ストッパ部と、前記コネクタ部より先端側で前記第１シート部と前記第２シート部とが結合されて前記コネクタ部の先端側への移動を制限する第２ストッパ部と、を含む態様を採用することができる。かかる態様によれば、第１ストッパ部と第２ストッパ部の間については、第１シート部と第２シート部とを結合する必要がないので、ストッパ部を効率よく形成することができる。
【００１０】
本発明において、少なくとも、前記第１シート部の前記第２シート部側の面、および前記第２シート部の前記第１シート部側の面は各々、プラスチックからなり、前記ストッパ部では、前記第１シート部と前記第２シート部とがヒートシールにより結合している態様を採用することができる。かかる態様によれば、第１シート部と第２シート部との間に注入器を配置した後でも、ストッパ部を容易に形成することができる。
【００１１】
本発明において、前記第１シート部と前記第２シート部とは、前記注入器を囲むようにヒートシールにより結合している態様を採用することができる。かかる態様によれば、注入器の周りでの第１シート部と第２シート部との結合、およびストッパ部の形成のいずれをもヒートシールによって行うことができる。
【００１２】
本発明において、前記注入管は、前記注入管の先端側を構成する可撓性の第１管部と、前記第１管部より剛性が大で、前記注入管の基端側を構成する第２管部とを備えている態様を採用することができる。かかる構成の場合、第１管部の可撓性を利用してノズル体を子宮体内の適正な位置に到達させ、受精卵や精子を吐出することができる。その一方で、ガイド管の先端側（第１管部）が突出すると、外力によって第１管が容易に折れ曲がりやすくなる等の問題があるが、本発明を適用した注入器の収納構造によれば、第１管が折れ曲がって元の形状に戻らない等の問題が発生しにくい。
【発明の効果】
【００１３】
本発明に係る注入器の収納構造では、注入器を収納した収納袋には、フランジ部とコネクタ部との間で第１シート部と第２シート部とを結合したストッパ部が設けられており、ストッパ部は、フランジ部の基端側への移動、およびコネクタ部の先端側への移動を制限する。このため、フランジ部およびコネクタ部が互いに接近する方向に移動しにくいので、注入管の先端側がガイド管から突出しにくい。従って、ガイド管から突出した注入管の先端側に外力が加わって、注入管の先端側が折れ曲がって元の形状に戻らなくなるという不具合や、ノズル体が注入管から外れるという不具合が発生しにくい。それ故、注入器を収納袋に収納した状態での注入器の不具合の発生を抑制することができる。
【図面の簡単な説明】
【００１４】
【図１】本発明が適用される注入器の一態様を示す説明図。
【図２】図１に示す注入器の主な構成部品を示す説明図。
【図３】図１に示す注入器に設けたフランジ部の一態様を示す説明図。
【図４】本発明を適用した注入器の収納構造を模式的に示す平面図。
【図５】図４に示す収納構造の断面を模式的に示す断面図。
【図６】本発明の別の実施形態に係る注入器の収納構造を模式的に示す平面図。
【発明を実施するための形態】
【００１５】
図面を参照して、本発明の実施の形態を説明する。
【００１６】
（全体構成）
図１は、本発明が適用される注入器１の一態様を示す説明図であり、図１（ａ）、（ｂ）、（ｃ）には、注入器１を牛の子宮体の内部まで挿入した様子、ノズル体４を子宮角深部まで進入させた様子、および子宮角深部に受精卵を注入する様子が示されている。図２は、図１に示す注入器１の主な構成部品を示す説明図であり、図２（ａ）、（ｂ）、（ｃ）には、ガイド管２内に注入管３を引き込んだ様子、ガイド管２から注入管３の先端側を押し出した様子、およびガイド管２から注入管３を抜いた様子が示されている。
【００１７】
図１および図２に示すように、注入器１は、牛等の哺乳類に受精卵や人工授精用の精子を注入する注入器であって、概ね、子宮体内挿入用のガイド管２と、ガイド管２内に通された注入管３と、注入管３の基端側に連結された筒状のコネクタ部６とを有している。注入管３には、コネクタ部６を介して注射器等の流体供給器８が連結される。コネクタ部６の外径は、ガイド管２の内径および外径より大きい。
【００１８】
ガイド管２は、基端部にフランジ部７が設けられた樹脂製あるいは金属製の管であり、剛性を有している。注入管３は、少なくとも先端部が可撓性を有しており、ガイド管２より寸法が長い。注入管３の外径は、ガイド管２の内径より小さく、注入管３はガイド管２の内側を通されている。注入管３の先端部にはノズル体４が連結されている。流体供給器８は、コネクタ部６を介して、注入管３の内部に受精卵や人工授精用の精子を含む液状物を注入する。なお、コネクタ部６の内部に、受精卵や人工授精用の精子が収容されたカートリッジが装填されることもあり、この場合、流体供給器８は、カートリッジ内の受精卵や人工授精用の精子を注入管３の内部に移動させる流体を供給する。
【００１９】
このように構成した注入器１を用いて、例えば、牛の子宮体内に受精卵を注入するには、まず、図１（ａ）に示すように、注入管３をガイド管２内に引き込んだ状態でガイド管２を膣口から子宮体Ａ１の内部に差し込む。その際、ビニル製等の薄いカバー（図示せず）を被せた片手を肛門から直腸Ｂ１に挿入し、直腸Ｂ１から子宮頸管Ａ１２を把持することによってガイド管２を子宮体Ａ１の内部に導く。
【００２０】
次に、図１（ｂ）に示すように、注入管３の基端側を操作してガイド管２の先端から注入管３の先端側を押し出してノズル体４を子宮角Ａ１１の深部まで到達させる。そして、図１（ｃ）に示すように、流体供給器８のピストン８１を押圧し、注入管３に流体を供給する。このため、流体供給器８から供給された流体によって、受精卵や人工授精用の精子は、注入管３を介してノズル体４に供給され、ノズル体４から子宮角Ａ１１の深部に注入される。しかる後には、注入器１を膣口から引き抜く。
【００２１】
なお、注入作業の際、例えば、注入器１のうち、少なくとも子宮体Ａ１内に挿入される部分にビニル製等の薄いカバー（図示せず）を被せた状態でガイド管２を子宮体Ａ１の内部に差し込んだ後、カバーから注入器１の先端部を突出させ、その後、注入管３をガイド管２の先端から繰り出してノズル体４を子宮角Ａ１１の深部まで到達させることもある。
【００２２】
（注入器１の詳細構成）
図２において、注入管３は、注入管３の先端側を構成する可撓性の第１管部３ａと、第１管部３ａより剛性が大で、注入管３の基端側を構成する第２管部３ｂとを備えており、第１管部３ａの先端部にノズル体４が連結されている。かかる構成の注入管３は、例えば、第２管部３ｂを構成する剛性のパイプに対して、第１管部３ａを構成する可撓性のチュ
ーブを接続することにより構成することができる。また、上記の構成の注入管３は、注入管３の長さの全体にわたって延在する可撓性のチューブの基端側に剛性のスリーブを外側から装着することによって構成することもできる。この場合、可撓性のチューブと剛性のスリーブとが設けられている部分によって第２管部３ｂが構成され、可撓性のチューブのみが設けられている部分によって第１管部３ａが構成される。
【００２３】
ノズル体４は、ノズル穴（図示せず）が開口した頭部４３を有しており、頭部４３は、ガイド管２の内径および外径より大きな外径を有している。ノズル体４は樹脂製あるいはゴム製である。また、ノズル体４には、頭部４３によって段部４５が形成されており、注入管３をガイド管２内に引き込んだ際に、段部４５がガイド管２の先端部２１に当接し、注入管３がそれ以上、ガイド管２内に引き込まれることが阻止される。
【００２４】
（フランジ部７の構成）
図３は、図１に示す注入器１に設けたフランジ部７の一態様を示す説明図であり、図３（ａ）、（ｂ）、（ｃ）には、フランジ部７の平面図、側面部および断面図を示してある。
【００２５】
図１および図２に示すように、ガイド管２のノズル体４とは反対側の端部２２には、ガイド管２から径方向外側に張り出したフランジ部７が設けられている。図３に示すように、フランジ部７は、注入管３が貫通する穴７４が形成された樹脂成型品である。本形態において、フランジ部７は、ガイド管２の端部２２が内側に連結された第１筒部７１と、第１筒部７１と連通する第２筒部７２と、第１筒部７１と第２筒部７２との間で張り出した張出部７３とを有している。フランジ部７には、第１筒部７１、張出部７３および第２筒部７２を貫通する穴７４が形成されており、穴７４には、注入管３が貫通している。
【００２６】
張出部７３は、第１筒部７１と第２筒部７２との間から外側に突出した角形の板部である。本形態において、張出部７３は四角形の板部である。このため、注入器１をテーブル等に置いた際、注入器１の転動は、張出部７３によって阻止される。
【００２７】
本形態において、穴７４の内周面には、注入管３の外周面３０と当接する凸部７５が設けられている。本形態において、凸部７５は、穴７４の内周面から略三角形の断面形状をもって円環状に突出し、注入管３の外周面３０に全周にわたって当接している。このため、注入管３と凸部７５との摺動抵抗によって注入管３に負荷を加えることができるので、ガイド管２の内側で注入管３が不用意に動くことを抑制することができる。また、ガイド管２は、端部２２が凸部７５に当接するように第１筒部７１の内側に差し込まれている。
【００２８】
（注入器１の収納構造）
図４は、本発明を適用した注入器１の収納構造を模式的に示す平面図である。図５は、図４に示す収納構造の断面を模式的に示す断面図である。なお、図４では、第１シート部１１と第２シート部１２とが結合されている領域に右上がりの斜線を付してある。
【００２９】
本形態では、注入器１を製造した後、出荷する際には、図４および図５に示す収納袋１０に注入器１を収納する。
【００３０】
収納袋１０は、注入器と重なる第１シート部１１と、注入器１を囲むように第１シート部１１と結合されて第１シート部１１との間に注入器１を収納する第２シート部１２とを有している。本形態において、第１シート部１１と第２シート部１２とは、各々の端部１１０、１２０が全周にわたって結合されて注入器１を内側に収納した状態で、収納袋１０の内部が密封されている。第１シート部１１は、第２シート部１２より厚く、第１シート部１１は台紙の役目を担っている。また、第１シート部１１は、不透明あるいは半透明で
あり、第２シート部１２は透明である。  
【００３１】
本形態において、注入器１は、ノズル体４がガイド管２の先端部２１に当接した状態で収納袋１０に収納されている。ここで、収納袋１０には、注入器１のフランジ部７とコネクタ部６との間で第１シート部１１と第２シート部１２とが結合されてフランジ部７の基端側への移動、およびコネクタ部６の先端側への移動を制限するストッパ部１５が設けられている。このため、フランジ部７およびコネクタ部６は、互いに接近する方向への移動が制限されているので、注入管３の先端側がガイド管２から突出することが制限されている。
【００３２】
本形態において、第１シート部１１は、少なくとも第２シート部１２側の面がプラスチックからなり、第２シート部１２は、少なくとも第２シート部１２側の面がプラスチックからなる。本実施形態において、第１シート部１１および第２シート部１２はいずれも、プラスチックからなる。このため、本形態では、第１シート部１１と第２シート部１２との結合はヒートシールによって行われる。従って、第１シート部１１の端部１１０と第２シート部１２の端部１２０は、全周にわたってヒートシールにより結合されたシール部１３になっている。また、ストッパ部１５でも、第１シート部１１と第２シート部１２とがヒートシールによって結合されている。また、第１シート部１１および第２シート部１２はいずれも、酸化エチレンガスによる滅菌処理、電子線による減菌処理、放射線による減菌処理に耐え得るプラスチックからなる。このため、収納袋１０に対する減菌処理、および注入器１を収納袋１０に収納した状態での減菌処理が可能である。
【００３３】
本形態において、ストッパ部１５は、フランジ部７より基端側で第１シート部１１と第２シート部１２とがヒートシールにより結合されてフランジ部７の基端側への移動を制限する第１ストッパ部１６と、コネクタ部６より先端側で第１シート部１１と第２シート部１２とがヒートシールにより結合されてコネクタ部６の先端側への移動を制限する第２ストッパ部１７とを含んでいる。第１ストッパ部１６は、注入管３の両側で第１シート部１１と第２シート部１２とがヒートシールにより結合されてフランジ部７が間を基端側に通過不能にした構造になっている。第２ストッパ部１７は、注入管３の両側で第１シート部１１と第２シート部１２とがヒートシールにより結合されてコネクタ部６が間を先端側に通過不能にした構造になっている。
【００３４】
かかる構成は、第１シート部１１と第２シート部１２との間に注入器１を配置した状態で各部分を順次、あるいは同時にヒートシールすることによって実現できる。または、第１シート部１１の端部１１０と第２シート部１２の端部１２０とを予め、３方でヒートシールした収納袋１０の内側に注入器１を収納した後、ストッパ部１５をヒートシールによって形成することによって実現してもよい。
【００３５】
（本形態の主な効果）
以上説明したように、本形態の注入器１の収納構造では、注入器１を収納した収納袋１０には、フランジ部７とコネクタ部６との間で第１シート部１１と第２シート部１２とを結合したストッパ部１５が設けられており、ストッパ部１５は、フランジ部７の基端側への移動、およびコネクタ部６の先端側への移動を制限する。このため、フランジ部７およびコネクタ部６が互いに接近する方向に移動しにくいので、注入管３の先端側がガイド管２から突出しにくい。従って、ノズル体４がガイド管２の先端部２１に当接した状態を維持でき、この状態であれば、注入管３の先端側をガイド管２によって外力から保護することができる。それ故、ガイド管２から突出した注入管３の先端側に外力が加わって、注入管３の先端側が折れ曲がって元の形状に戻らなくなるという不具合や、ノズル体４が注入管３から外れるという不具合が発生しにくい。よって、注入器１を収納袋１０に収納した状態での不具合の発生を抑制することができる。
【００３６】
また、本形態では、フランジ部７と注入管３との間の摺動抵抗によって注入管３に負荷を加えている。このため、ガイド管２の内側で注入管３が先端側に動くことを抑制しているため、ノズル体４がガイド管２の先端部２１に当接した状態を維持できるという利点がある。
【００３７】
また、ストッパ部１５は、フランジ部７に基端側で隣り合う位置に設けられた第１ストッパ部１６と、コネクタ部６に先端側で隣り合う位置に設けられた第２ストッパ部１７とを備えている、従って、第１ストッパ部１６と第２ストッパ部１７の間については、第１シート部１１と第２シート部１２とを結合する必要がないので、ストッパ部１５を効率よく形成することができる。
【００３８】
また、第１シート部１１と第２シート部１２との結合にヒートシールが用いられているので、第１シート部１１と第２シート部１２との間に注入器を配置した後でも、ストッパ部１５を容易に形成することができる。また、第１シート部１１と第２シート部１２とは、注入器１を囲むようにヒートシールにより結合されているため、注入器１の周りでの第１シート部１１と第２シート部１２との結合、およびストッパ部１５の形成のいずれをもヒートシールによって行うことができる。
【００３９】
また、注入管３は、注入管３の先端側を構成する可撓性の第１管部３ａと、第１管部３ａより剛性が大で、注入管３の基端側を構成する第２管部３ｂとを備えているため、第１管部３ａの可撓性を利用してノズル体４を子宮体Ａ１内の適正な位置に到達させ、受精卵や精子を吐出することができる。その一方で、ガイド管２の先端側（第１管部３ａ）が突出すると、外力によって第１管部３ａが容易に折れ曲がりやすくなる等の問題があるが、本形態に係る注入器１の収納構造によれば、第１管部３ａが折れ曲がって元の形状に戻らない等の問題が発生しにくい。
【００４０】
［別の実施形態］
図６は、本発明の別の実施形態に係る注入器１の収納構造を模式的に示す平面図である。本形態の基本的な構成は、上記実施の形態と同様であるため、共通する部分には同一の符号を付してそれらの説明を省略する。また、図６では、第１シート部１１と第２シート部１２とが結合されている領域に右上がりの斜線を付してある。
【００４１】
上記実施形態では、ストッパ部１５が第１ストッパ部１６および第２ストッパ部１７として２箇所に設けられていたが、本形態では、図６に示すように、第１ストッパ部１６に相当する部分と第２ストッパ部１７に相当する部分が連続したストッパ部１５として設けられている。かかる態様でも、フランジ部７およびコネクタ部６が互いに接近する方向に移動しにくいので、ノズル体４がガイド管２の先端部２１に当接した状態を維持できる等、上記実施形態と略同様な作用および効果を奏する。
【００４２】
［他の実施の形態］
上記実施の形態では、第１シート部１１と第２シート部１２との結合にヒートシールを採用したが、ストッパ部１５の形成については、例えば、両面テープや接着剤を用いた構造や、ステープラーによって結合させた構造等を採用してもよい。
【００４３】
上記実施形態では、牛への受精卵や精子の注入を例示したが、牛以外の哺乳類への受精卵や精子の注入に注入器１を用いてもよい。
【符号の説明】
【００４４】
１…注入器、２…ガイド管、３…注入管、３ａ…第１管部、３ｂ…第２管部、４…ノズル体、６…コネクタ部、７…フランジ部、８…流体供給器、２１…先端部、１０…収納袋、
１１…第１シート部、１２…第２シート部、１３…シール部、１５…ストッパ部、１６…第１ストッパ部、１７…第２ストッパ部、１１０、１２０…端部
【図１】
2020089652.tif 000003
【図２】
2020089652.tif 000004
【図３】
2020089652.tif 000005
【図４】
2020089652.tif 000006
【図５】
2020089652.tif 000007
【図６】
2020089652.tif 000008